(57)【特許請求の範囲】
【請求項１】
少なくとも第１、第２、及び第３のパネルを含む少なくとも３個のパネルと、
前記各パネルを、前記各パネルが共にユーザーに対向するように連続して並べられたときの互いに隣り合う各パネルが互いに折り畳み可能となるように、且つ、前記各パネルが互いに隣接するパネルに対して折り畳まれた状態と展開された状態との間の中間の状態に置かれたときの前記各パネルの側面が全体として略ジグザク状になるように、接続するための接続手段と、
前記第１、第２、及び第３のパネルを展開したときにできる「パネルの連続体」の中のいずれか一方の端に位置する前記第１のパネルに備えられ、且つ、前記３個のパネルを折り畳んだときの「前記第１のパネルのユーザーに対向する側」に配置されている、ユーザーが無線通信により他人と会話を行うため又はユーザーが携帯電話として使用するための送話部及び受話部と、
少なくとも前記の第２のパネル及び第３のパネルが共にユーザーに対向するように配置されているときの「前記の第２のパネル及び第３のパネルのユーザーに対向する側」に配置されている画面表示体と、
を含むことを特徴とする携帯型情報端末装置。
【請求項２】
少なくとも第１、第２、及び第３のパネルを含む少なくとも３個のパネルと、
前記各パネルを、前記各パネルが共にユーザーに対向するように連続して並べられたときの互いに隣り合う各パネルが互いに折り畳み可能となるように、且つ、前記各パネルが互いに隣接するパネルに対して折り畳まれた状態と展開された状態との間の中間の状態に置かれたときの前記各パネルの側面が全体として略ジグザク状になるように、接続するための接続手段と、
前記第１、第２、及び第３のパネルを展開したときにできる「パネルの連続体」の中のいずれか一方の端に位置する前記第１のパネルに備えられ、且つ、前記３個のパネルを折り畳んだときの「前記第１のパネルのユーザーに対向する側」に配置されている、ユーザーが無線通信により他人と会話を行うため又はユーザーが携帯電話として使用するためのマイク及びスピーカと、
少なくとも前記の第２のパネル及び第３のパネルが共にユーザーに対向するように配置されているときの「前記の第２のパネル及び第３のパネルのユーザーに対向する側」に配置されている画面表示体と、
を含むことを特徴とする携帯型情報端末装置。
【請求項３】
少なくとも第１、第２、及び第３のパネルを含む少なくとも３個のパネルと、
前記各パネルを、前記各パネルが共にユーザーに対向するように連続して並べられたときの互いに隣り合う各パネルが互いに折り畳み可能となるように、且つ、前記各パネルが互いに隣接するパネルに対して折り畳まれた状態と展開された状態との間の中間の状態に置かれたときの前記各パネルの側面が全体として略ジグザク状になるように、接続するための接続手段と、
前記第１、第２、及び第３のパネルを展開したときにできる「パネルの連続体」の中のいずれか一方の端に位置する前記第１のパネルに備えられ、且つ、前記３個のパネルを折り畳んだときにユーザーに対向する前記第１のパネルの面に配置されている、ユーザーが無線通信により他人と会話を行うため又はユーザーが携帯電話として使用するための送話部及び受話部と、
少なくとも前記の第２のパネル及び第３のパネルが共にユーザーに対向するように配置されているときの「前記の第２のパネル及び第３のパネルのユーザーに対向する側」に配置されている画面表示体と、
を含むことを特徴とする携帯型情報端末装置。
【請求項４】
少なくとも第１、第２、及び第３のパネルを含む少なくとも３個のパネルと、
前記各パネルを、前記各パネルが共にユーザーに対向するように連続して並べられたときの互いに隣り合う各パネルが互いに折り畳み可能となるように、且つ、前記各パネルが互いに隣接するパネルに対して折り畳まれた状態と展開された状態との間の中間の状態に置かれたときの前記各パネルの側面が全体として略ジグザク状になるように、接続するための接続手段と、
前記第１、第２、及び第３のパネルを展開したときにできる「パネルの連続体」の中のいずれか一方の端に位置する前記第１のパネルに備えられ、且つ、前記３個のパネルを折り畳んだときにユーザーに対向する前記第１のパネルの面に配置されている、ユーザーが無線通信により他人と会話を行うため又はユーザーが携帯電話として使用するためのマイク及びスピーカと、
少なくとも前記の第２のパネル及び第３のパネルが共にユーザーに対向するように配置されているときの「前記の第２のパネル及び第３のパネルのユーザーに対向する側」に配置されている画面表示体と、
を含むことを特徴とする携帯型情報端末装置。
【請求項５】
請求項１から４までのいずれかにおいて、
前記第１、第２、及び第３のパネルを展開したときにできる「パネルの連続体」の中のいずれか一方の端に位置する前記第１のパネルに備えられ、且つ、前記３個のパネルを折り畳んだときの「前記第１のパネルのユーザーに対向する側」に配置されている、画面表示体、を含むことを特徴とする携帯型情報端末装置。
【請求項６】
請求項１から４までのいずれかにおいて、
前記第１、第２、及び第３のパネルを展開したときにできる「パネルの連続体」の中のいずれか一方の端に位置する前記第１のパネルに備えられ、且つ、前記３個のパネルを折り畳んだときの「前記第１のパネルのユーザーに対向する側」に配置されている、操作部、を含むことを特徴とする携帯型情報端末装置。
【０００１】
【発明の詳細な説明】
【発明の属する技術分野】
本発明は、携帯型電話機付きの折り畳み式表示装置に関する。
【従来の技術】
従来より折り畳み式表示装置が提案されている。例えば、特開平５−６１４２３号公報などに提案されている。
【０００２】
【発明が解決しようとする課題】
前記の従来の携帯型情報端末装置については、小型化が十分でない、画面表示体の表示面積が小さい、などの問題がある。本発明は、不使用収納時や携帯電話として使用するときなどには大幅な小型化を可能にしながらも、画面を使用して情報を入力したり情報を見たりするときには広い表示面積を確保することができるような携帯型情報端末装置を提供することを目的とする。
【０００３】
【課題を解決するための手段】
１  少なくとも第１、第２、及び第３のパネルを含む少なくとも３個のパネルと、前記各パネルを、前記各パネルが共にユーザーに対向するように連続して並べられたときの互いに隣り合う各パネルが互いに折り畳み可能となるように、且つ、前記各パネルが互いに隣接するパネルに対して折り畳まれた状態と展開された状態との間の中間の状態に置かれたときの前記各パネルの側面が全体として略ジグザク状になるように、接続するための接続手段と、前記第１、第２、及び第３のパネルを展開したときにできる「パネルの連続体」の中のいずれか一方の端に位置する前記第１のパネルに備えられ、前記３個のパネルを折り畳んだときの前記第１のパネルのユーザーに対向する側（又は、前記３個のパネルを折り畳んだときにユーザーに対向する前記第１のパネルの面）に配置された、ユーザーが無線通信により他人と会話を行うため又はユーザーが携帯電話として使用するための送話部及び受話部と、少なくとも前記の第２のパネル及び第３のパネルが共にユーザーに対向するように配置されているときの「前記の第２のパネル及び第３のパネルのユーザーに対向する側」に配置されている画面表示体と、を含むことを特徴とする携帯型情報端末装置。
２  少なくとも第１、第２、及び第３のパネルを含む少なくとも３個のパネルと、前記各パネルを、前記各パネルが共にユーザーに対向するように連続して並べられたときの互いに隣り合う各パネルが互いに折り畳み可能となるように、且つ、前記各パネルが互いに隣接するパネルに対して折り畳まれた状態と展開された状態との間の中間の状態に置かれたときの前記各パネルの側面が全体として略ジグザク状になるように、接続するための接続手段と、前記第１、第２、及び第３のパネルを展開したときにできる「パネルの連続体」の中のいずれか一方の端に位置する前記第１のパネルに備えられ、前記３個のパネルを折り畳んだときの前記第１のパネルのユーザーに対向する側に配置された（又は、前記３個のパネルを折り畳んだときにユーザーに対向する前記第１のパネルの面）、ユーザーが無線通信により他人と会話を行うため又はユーザーが携帯電話として使用するためのマイク及びスピーカと、少なくとも前記の第２のパネル及び第３のパネルが共にユーザーに対向するように配置されているときの「前記の第２のパネル及び第３のパネルのユーザーに対向する側」に配置されている画面表示体と、を含むことを特徴とする携帯型情報端末装置。
３  上記１又は２において、前記第１、第２、及び第３のパネルを展開したときにできる「パネルの連続体」の中のいずれか一方の端に位置する前記第１のパネルに備えられ、且つ、前記３個のパネルを折り畳んだときの「前記第１のパネルのユーザーに対向する側」に配置されている画面表示体、を含むことを特徴とする携帯型情報端末装置。
４  上記１又は２において、前記第１、第２、及び第３のパネルを展開したときにできる「パネルの連続体」の中のいずれか一方の端に位置する前記第１のパネルに備えられ、且つ、前記３個のパネルを折り畳んだときの「前記第１のパネルのユーザーに対向する側」に配置されている操作部、を含むことを特徴とする携帯型情報端末装置。
【０００４】
【発明の実施の形態】
実施形態１．
図１（ａ）は本発明の実施形態１の正面図、図１（ｂ）はその平面図である。図１に示すように、本実施形態は、４つの表示パネル１（例えば、液晶表示パネルや有機ＥＬ（エレクトロ・ルミネッセンス）パネル）から構成されている。これらの各パネル１は、その文字や画像を表示する表示面１ａと、その反対側の背面１ｂとを有している。背面１ｂは、表示面１ａに比べて、強度が大きくなっている。
各パネル１は、図示は省略しているが、その表示画面の周囲に枠体を有しているので、表示画面は、各パネル１の外周の枠体を除く部分となっている。しかし、この実施形態１では、その枠体は極めて小さい面積になるように形成されているので、結局、各パネル１の表示面１ａは、そのほとんどの部分が、表示画面となっている（そのため、図１において、前記の枠体は図示を省略している）。
この実施形態１では、各パネル１は、互いに、協働して一つの画面を構成できるようになっている。よって、この各パネル１を組み合わせた表示装置のユーザーは、これらの４枚の各パネル１が合わさった一つの大きな画面で、一つの大きな画像や文章を表示させることができる。
互いに隣り合う各パネル１の間には、互いに隣り合うパネル１を折り畳み自在に接続する蝶番などの接続部２が備えられている。この接続部２は、各パネル１を折り畳んだときに、各パネル１の表示面１ａの側が、互いに内側に折り畳まれるように、構成されている。
つまり、図２及び図３に示すように、各パネルを折り畳んだときは、強度の弱い各パネル１の表示面１ａが折り畳んだときの内面側に来て、表示面１ａが衝撃などから保護されるようになっている。
【０００５】
実施形態２．
次に、図４、図５、図６、図７は、本発明の実施形態２を示す図である。この実施形態２では、実施形態１の構成に加えて、次のような構成が取られている。すなわち、図４（ａ）は本実施形態２の各パネルを展開した状態を示す正面図、図４（ｂ）はそれを側面から見た図、図４（ｃ）はその平面図である。また、図５は本実施形態２を折り畳んだ状態から見開きの状態に移行させる途中の段階を示す斜視図である。また、図６（ａ）は本実施形態２を折り畳んだ状態を示す図、図６（ｂ）はそれを図６（ａ）の矢印Ａの方向から見た図である。
この実施形態２では、合計８枚のパネル１が接続されている。そして、その表示面１ａ側が折り畳んだときに内側に来て外力から保護されようになっているのは、実施形態１と同様である。
さらに、この実施形態２では、図７に示すように、前記８枚のパネル１を折り畳んで、全体として「直方体」になったとき（図６に示す状態）、さらに、その「直方体」の背面側３の中央から、２つ折りできるように、背面側接続部４が備えられている。これにより、表示装置の不使用時におけるさらなる小型化が可能になり、携帯がより容易になる。
【０００６】
実施形態３．
次に、図８から図１１に基づいて、本発明の実施形態３を説明する。図８（ａ）は本実施形態３を展開したときの平面図、図８（ｂ）は図８（ａ）をその上面から見た図、図８（ｃ）は図８（ａ）を矢印Ｃの方向から見た図である。また、図９は本実施形態３を折り畳んだ状態から展開（見開き）の状態に移行させる途中の状態を示す図である。図１０は本実施形態３を折り畳んだ状態を背面から見た図である。図１１（ａ）は、図１０の折り畳んだ状態を更に図１０の背面の上下方向を２分するように折り曲げるようにした状態を示す図、図１１（ｂ）は図１１（ａ）の状態から完全に折り畳んだ状態を示す図である。
この実施形態３では、実施形態１の構成に加えて、次のような構成が付加されている。すなわち、この実施形態３では、合計６枚の表示パネル１を使用して、互いに平面がジクザグ状になるように折り畳む接続部２が備えられている（図８及び図９参照）。
次に、この実施形態３では、前記接続部２で折り畳んで全体として「直方体」の形状になったもの（図９の状態を経て図１０の状態になったもの）について、さらに、この「直方体」の平面を構成する各パネル１の中央部（図１０の符号Ｄで示す部分）から２つ折りにすることを可能にするための接続部５が備えられている。この接続部５により、さらに２つ折りすると、図１１（ａ）の状態を経て、図１１（ｂ）の状態となり、更なる小型化が可能になっている。このように、本実施形態３では、表示装置の不使用時におけるさらなる小型化が可能になり、携帯がより容易になる。
【０００７】
実施形態４．
次に、本発明の実施形態４を図１２から図１７に基づいて説明する。図１２は本実施形態４を実施形態１のようにジグザグ形状に折り畳んだものを、更に実施形態３のように２つ折りに折り畳んだ状態を示す図、図１３はその側面図、図１４は図１２及び図１３のように２つ折りに折り畳んだ状態から「２つ折り状態」を展開するときの途中動作を示す図、図１５は図１４の動作を経て「２つ折り状態」が展開されたときの状態を示す図、図１６は図１５の状態から前記「ジグザグ状に折り畳まれた状態」から更に「見開き」状態に展開するときの途中動作を示す図で、（ａ）はその斜視図、（ｂ）はその上面から見た図、図１７は図１６の状態から完全に見開きの状態に展開したときの状態を示す図である。
本実施形態４では、図１２〜図１５に示すように、複数のパネル３１，３６と３２，３５と３３，３４とが折り畳まれて図１５の状態になったものが、さらに、接続部３７及び３８により、図１５の上半分と下半分とを２分するように「２つ折り」可能に接続されている。
この実施形態４では、図１７に示すように、３１，３２，３３，３４，３５，３６の６枚の表示パネルが互いに接続されている。そして、これらの６枚のパネルの表示部３１ａ，３２ａ，３３ａ，３４ａ，３５ａ，３６ａは、互いに協働して、一つの大きな画面を構成できるようになっている。図１７では、各パネル３１，３２，３３，３４，３５，３６，３７の表示部３１ａ，３２ａ，３３ａ，３４ａ，３５ａ，３６ａを、各パネルよりもかなり小さい面積を有するものとして記載しているが、実際は、各パネル３１，３２，３３，３４，３５，３６，３７の平面のほとんどを表示部３１ａ，３２ａ，３３ａ，３４ａ，３５ａ，３６ａが占めるようになっているので、各パネル３１，３２，３３，３４，３５，３６，３７の互いの接続部は、ユーザーにはほとんど意識されない。よって、ユーザーにとっては、各パネル３１，３２，３３，３４，３５，３６，３７の表示部３１ａ，３２ａ，３３ａ，３４ａ，３５ａ，３６ａによって一つの大きな画面が見られるようになっている。
また、図１７に示すように、この実施形態４では、パネル３４の図示上方にスピーカ４２が備えられ、パネル３３の下方にマイク４１が備えられている。これらのスピーカ４２とマイク４１は、図１６（ｂ）に示すように、各パネル３３，３４の平面から突出しないように、それらの上面が各パネルの平面とほぼ同一平面上にくるように、各パネルに埋設又は内蔵されている。
図１７に示す計６枚のパネルは、互いに折り畳むことにより、図１４又は図１５に示すような形にできる。この図１４又は図１５に示すような形態に展開すると、通常の携帯電話機として使用できるようになる。
そして、さらに図１４の形態から図１５に示すように展開して、さらに図１６の（ａ）及び（ｂ）に示すような形態に展開し、さらに、図１７に示すような形態に展開することにより、前記の計６枚のパネル３１，３２，３３，３４，３５，３６，及び３７を、「合わせて一つの大きな画面を有する表示装置」として使用できる。
また、図１７に示す状態では、前記マイク４１とスピーカ４２が、他のパネル３５，３２，３６，及び３１の各表示部３５ａ，３２ａ，３６ａ，及び３１ａと同じ平面上に水平方向に連続して存在しているので、ユーザーは、前記マイク４１とスピーカ４２を使用して遠隔の人と会話をしながら（すなわち携帯電話機として使用しながら）、同時に、前記各パネルの各表示部３５ａ，３２ａ，３６ａ，及び３１ａから構成される「合わせて一つの大きな画面」を見る（すなわち、表示装置としても使用する）こともできる。
【０００８】
実施形態５．
次に、図１８に基づいて本発明の実施形態５を説明する。この実施形態５では、２枚のパネル５１，５２の互いに隣り合う端部が、蝶番（又は、ヒンジ）などの接続部５３により、互いに折り曲げ・折り畳み自在に、接続されている。図１８（ａ）はパネル５１及び５２が折り畳まれた状態を示す図、図１８（ｂ）は同（ａ）の状態から見開きの状態に展開される途中の動作を示す図、図１８（ｃ）は完全に見開きの状態に展開された状態を示す図である。
この実施形態５では、パネル５１の一方の面には、ＬＣＤ（液晶表示装置）などから成る画面表示部５１ａが取り付けられている。また、パネル５２の一方の面（前記パネル５１との間で折り曲げられたときに、前記パネル５１の画面表示部と対向する側の面）には、ＬＣＤなどのから成る画面表示部５２ａが取り付けられている。また、パネル５２の他方の面（画面表示部５２ａと反対の面）には、無線により公衆回線を介して遠隔の他人と会話するためのスピーカ５４及びマイク５５、相手先ダイヤル番号などを入力するためのテンキー５６、相手先の氏名や相手先からのメッセージを文字表示するための液晶表示画面５７、及び、相手先との通話を開始又は停止するためのスタートボタン５８などが、備えられている。また、パネル５２の内部には、遠隔の電話基地局との間でデータを送受信するための送受信機が内蔵されている。以上により、パネル５２の前記面（画面表示部５２ａの反対側の面）は、ユーザーが携帯電話機として使用できるようになっている。
なお、本実施形態５では、前記テンキー５６に代えて、平仮名入力用キーボード又はタッチパネル（指先や電子ペンでデータ入力するもの）を備えるようにして、さらに、相手先電話番号のデータを含む住所録を記録するメモリを内蔵させるようにしてもよい。このように構成すれば、ユーザーは、例えば、電話をかけようとする相手先の名前などのキーワードを前記キーボード又はタッチパネルで入力し、このキーワードに基づいて前記住所録から相手先の電話番号を検索して、その相手先の名前と電話番号を液晶表示画面５７（図１８参照）に表示させて、ユーザーがＯＫの指示を出すと、自動的にその相手先の電話番号を発信させるようにしてもよい。
以上のように、本実施形態５によれば、一つの携帯型（手帳サイズ又はノートサイズ）の情報機器により、携帯電話機として使用できる（図１８（ａ）に示す状態で）と共に、見開き状態に展開すること（図１８（ｂ）参照）により、見開きの大きなサイズの表示画面を持つ表示装置としても使用できる（図１８（ｃ）に示す状態）ようになる。
すなわち、本実施形態５では、それぞれが画面表示部５１ａ，５２ａを有する２枚の平面長方形状の表示パネル５１．５２と、これらの各パネル５１，５２の互いに隣り合う端部を互いに折り畳み自在になるように接続する接続部５３と、前記の表示パネル５２の画面表示部５２ａの裏側の面に、無線通信により遠隔の他人と通話を行うためのスピーカ５４及びマイク５５などを有する携帯電話機が備えられているので、携帯電話機と「合わせて一つの大きな画面」を有する表示装置との両者の機能を合わせ有する携帯情報機器が実現できるようになる。
【０００９】
実施形態６．
次に、本発明の実施形態６を図１９に基づいて説明する。本実施形態６は、３枚のパネル６１，６２，６３が、平面状に置かれたときに（「見開き状態」に展開されたとき）連続して並べられた状態（図１９（ｃ）参照）となるように、互いに隣り合うように並べられ、且つ、それらの互いに隣り合う端部が、蝶番（ヒンジ）などから成る接続部６４ａ，６４ｂ，６５ａ，６５ｂにより、折り曲げ・折り畳み自在に接続されている。
また、図１９（ｂ）（ｃ）に示すように、前記パネル６２及び６３には、前記の「見開き状態」に展開されたとき、ユーザーに見える側の面に、ＬＣＤなどから成る画面表示部６２ａ，６３ａがそれぞれ取り付けられている。また、図１９（ａ）（ｂ）（ｃ）に示すように、前記パネル６１には、前記の「見開き状態」に展開されたとき、ユーザーに見える側の面に、スピーカ６６，マイク６７，テンキー６８，表示画面６９，スタートボタン７０（これらのスピーカやマイクなどは、図１９で示した実施形態５におけるものと同じである）が備えられている。これにより、前記パネル６１の前記の面（前記「見開き状態」にされたときに、画面表示部６２ａ，６３ａと同じ平面に連続して現れる側の面）は、携帯電話機として使用できるようになっている。
図１９（ｃ）に示すように、本実施形態６では、各パネル６１，６２，６３を見開きの状態にしたときは、ユーザーは、画面表示部６２ａ及び６３ａを使用して「合わせて一つの大きな画面」を有する表示装置として使用すると共に、パネル６１に取り付けられた携帯電話機を使用して遠隔の他人と通話することもできる。
また、ユーザーは、図１９（ｃ）の見開きの状態で、前記の携帯電話機を使用して遠隔の他人と通話しながら、その図示左隣の画面表示部６２ａ及び６３ａを使用して文字や図形や画像を入力して、その入力内容のデータを、通話しながら、その通話している相手先に送信したりすることもできる。
また、ユーザーは、本実施形態６を使用しないときは、図１９（ａ）のようにコンパクトに折り畳んだ状態で、服のポケットなどに入れて携帯できる。そして、ユーザーは、単に携帯電話機としてのみ使用したいときは、前記のように「見開き状態に展開する（図１９（ｂ）参照）こと」なく、図１９（ａ）のように折り畳んだ状態のままで、通話をすることができる。なお、前記テンキー６８に代えて、平仮名入力用キーボード又はタッチパネル（指先や電子ペンでデータ入力するもの）を備えるようにして、さらに、相手先電話番号のデータを含む住所録を記録するメモリを内蔵させるようにしてもよいことは、実施形態５について前述したところと同様である。
以上のように、本実施形態６では、３枚の平面長方形状のパネル６１，６２，６３と、これらの各パネル６１，６２，６３同士の互いに隣り合う端部を、互いに折り畳み自在になるように、且つ、折り畳んだときの状態から展開したとき状態に移行する段階では各パネル６１，６２，６３の側面が全体として略ジグザク状になるように接続する接続部６４ａ，６４ｂ，６５ａ，６５ｂと、前記各パネル６１，６２，６３を展開したときに互いに接続されたパネルの連続体（図１９（ｃ）参照）の中の図示右端に位置するパネル６１には、無線通信により他人と会話を行うためのスピーカ６６及びマイク６７などの携帯電話機の装置が備えられており、且つ、前記連続体の他の部分を構成するパネル６２，６３には、それぞれ画面表示部６２ａ，６３ａが形成されている。よって、ユーザーは、一つの携帯情報機器を、携帯電話機として使用できると共に、「合わせて一つの大きな画面」を有する表示装置としても使用できるというメリットが得られる。
【００１０】
【発明の効果】
本発明の携帯型情報端末装置によれば、不使用収納時や携帯電話として使用するときなどには大幅な小型化を可能にしながらも、画面を使用して情報を入力したり情報を見たりするときには広い表示面積を確保することができるようになる。
すなわち、本発明によれば、
複数のパネルを互いに折り畳んで小型化したときは、コンパクトに収納したり、（ユーザーに対向する側に送話部及び受話部（又はマイク及びスピーカ）が備えられるようになっているので）携帯電話などとして使用することができるようになると共に、
複数のパネルを展開したときは、（複数のパネルに渡る広い表示面積を確保することができるので）広い画面を使用して情報の入力などを行ったり情報を見たりすることができるようになる。
よって、本発明によれば、携帯型無線電話機としての機能、及び、「大きな画面」を表示する表示装置（又は、情報入力機能を備えた表示装置）としての機能、という２つの機能を合わせ有する携帯情報機器が実現できるようになる。
【図面の簡単な説明】
【図１】  本発明の実施形態１を示す図である。
【図２】  実施形態１を示す図である。
【図３】  実施形態１を示す図である。
【図４】  本発明の実施形態２を示す図である。
【図５】  実施形態２を示す図である。
【図６】  実施形態２を示す図である。
【図７】  実施形態２を示す図である。
【図８】  本発明の実施形態３を示す図である。
【図９】  実施形態３を示す図である。
【図１０】  実施形態３を示す図である。
【図１１】  実施形態３を示す図である。
【図１２】  本発明の実施形態４を示す図である。
【図１３】  実施形態４を示す図である。
【図１４】  実施形態４を示す図である。
【図１５】  実施形態４を示す図である。
【図１６】  実施形態４を示す図である。
【図１７】  実施形態４を示す図である。
【図１８】  実施形態５を示す図である。
【図１９】  実施形態６を示す図である。
【図１】
0004456677.tif 000002
【図２】
0004456677.tif 000003
【図３】
0004456677.tif 000004
【図４】
0004456677.tif 000005
【図５】
0004456677.tif 000006
【図６】
0004456677.tif 000007
【図７】
0004456677.tif 000008
【図８】
0004456677.tif 000009
【図９】
0004456677.tif 000010
【図１０】
0004456677.tif 000011
【図１１】
0004456677.tif 000012
【図１２】
0004456677.tif 000013
【図１３】
0004456677.tif 000014
【図１４】
0004456677.tif 000015
【図１５】
0004456677.tif 000016
【図１６】
0004456677.tif 000017
【図１７】
0004456677.tif 000018
【図１８】
0004456677.tif 000019
【図１９】
0004456677.tif 000020